(57)【要約】【課題】デジタルカメラのフラッシュを利用しての十分な光量でのプリント写真を画像データ化するための撮像を行なえる小型のプリント写真撮像用器具を提供する。【解決手段】プリント写真撮像用器具は、プリント写真載置用の台板１、プリント写真の真上に下向きにデジタルカメラＤＣを固定する機構、デジタルカメラＤＣのフラッシュＦから出た照明光を反射する反射鏡４８Ｂ、反射鏡４８Ｂで反射された照明光を拡散反射する拡散反射部Ｓ、デジタルカメラＤＣのレンズと同軸とされる拡大レンズ４６Ｂを備える。拡散反射部Ｓで拡散反射された照明光を用いてプリント写真はハレーションなく撮像される。拡大レンズ４６Ｂは、遠景撮影設定がされたデジタルカメラに、近接撮影を行なわせるものなので、撮影時に焚かれるデジタルカメラＤＣのフラッシュの光量は大きい。【選択図】図９
2010139669.tif 000002
【特許請求の範囲】
【請求項１】
撮像用のフラッシュ及び撮像用のレンズを備えるとともに、撮像対象物までの距離に応じて前記フラッシュから照射される照明光の強度を変更させる機能を有するデジタルカメラと組合わせて用いられるものであり、所定のプリント写真を前記デジタルカメラのフラッシュを用いて前記デジタルカメラで撮像するために用いられる、プリント写真撮像用器具であって、
前記デジタルカメラを下向きに保持して、前記プリント写真から所定の距離に前記デジタルカメラを位置決めする保持手段と、
前記保持手段が保持した前記デジタルカメラが備える前記レンズと同軸とされる補助レンズとを備えているとともに、
前記補助レンズは、前記デジタルカメラ自体の設定が遠景又は風景の撮影を行なうようになっている状態で、前記デジタルカメラで近接撮影を行なえる程度に、前記レンズと前記補助レンズを合成した場合の焦点距離が短くなるようにされている、
プリント写真撮像用器具。
【請求項２】
前記デジタルカメラのフラッシュから下向きに照射された照明光を、前記デジタルカメラの下方に配された所定のプリント写真に少なくともその一部が向かうように拡散反射させる拡散反射手段を備えている、
請求項１記載のプリント写真撮像用器具。
【請求項３】
前記デジタルカメラのフラッシュから下向きに照射された照明光を、略水平の複数の方向に反射する、前記保持手段に保持された前記デジタルカメラの前記フラッシュの下方に位置させられる反射手段を備えており、
前記拡散反射手段は、前記反射手段で反射された前記照明光を、拡散反射された前記照明光のうちの前記一部が、前記デジタルカメラの下方に配された所定のプリント写真に、当該照明光を用いて前記デジタルカメラで撮像された前記プリント写真の画像にハレーションを生じさせないような浅い角度で斜め上から照射するようになっている、
請求項２記載のプリント写真撮像用器具。
【請求項４】
前記反射手段は、前記照明光を、略水平であり互いに逆向きの２つの方向に反射するようになっているとともに、
前記拡散反射手段はそれぞれ、２つの方向に反射された前記照明光のうちの一方を拡散反射させるようになっている、
請求項３記載のプリント写真撮像用器具。
【請求項５】
前記拡散反射手段は、その明度が３以上の色彩とされている、
請求項２記載のプリント写真撮像用器具。
【請求項６】
前記拡散反射手段は、紙である、
請求項２記載のプリント写真撮像用器具。
【請求項７】
前記反射手段が前記保持手段に設けられているとともに、
前記保持手段には、前記反射手段で反射された前記照明光のうち、前記拡散反射手段に向かわずに直接前記プリント写真に向かう光を遮断する遮断手段が設けられている、
請求項３記載のプリント写真撮像用器具。
【請求項８】
前記反射手段をその内部に収納する筒であり、その両端の開口から、前記反射手段で反射された略水平であり互いに逆向きの２つの照明光が一つずつ出るようにされている筒状体を備えているとともに、
当該筒状体が、前記遮断手段を兼ねるようになっている、
請求項７記載のプリント写真撮像用器具。
【請求項９】
前記反射手段は、前記保持手段に保持された前記デジタルカメラの横方向に平行移動できるようにされている、
請求項４記載のプリント写真撮像用器具。
【請求項１０】
前記筒状体は、前記保持手段に保持された前記デジタルカメラの横方向に平行移動できるようにされている、
請求項８記載のプリント写真撮像用器具。
【請求項１１】
前記保持手段は、前記デジタルカメラを保持した状態で前記デジタルカメラの横方向に平行移動できるようにされている、
請求項１、９又は１０記載のプリント写真撮像用器具。
【請求項１２】
撮像されるプリント写真をその上に載置する、所定の面の上に置かれる板状の台板と、
前記台板の上に位置決めした状態で略垂直に立てられる、略矩形で板状の第１板と、
前記台板の上に位置決めした状態で略垂直に立てられる、略矩形で板状の第２板と、
前記台板の上に位置決めした状態で略垂直に立てられる、略矩形で板状の第３板と、
を備えているとともに、
前記第２板と前記第３板はその縦方向の一辺を、前記第１板の縦方向の辺のそれぞれに隣接させるように位置決めされることで、前記第１板、前記第２板、及び前記第３板は、全体として平面視で略コの字形状となるようにされているとともに、
前記第１板の前記略コの字形状の内側に位置する面に、前記保持手段が取付けられているとともに、
前記第２板、及び前記第３板の互いに対向する面の一部はそれぞれ、前記反射手段で反射され、略水平であり互いに逆向きの２つの方向に反射された照明光の一方を拡散反射させる前記拡散反射手段として機能するようにされている、
請求項４記載のプリント写真撮像用器具。
【請求項１３】
前記第１板、前記第２板、前記第３板はそれぞれ、前記台板に対して着脱自在にされているとともに、
前記第１板と前記第２板の互いに隣接する辺は、前記第２板を前記第１板に対して重ねられるように折り曲げられるようにして、互いに接続され、且つ前記第１板と前記第３板の互いに隣接する辺は、前記第３板を前記第１板に対して重ねられるように折り曲げられるようにして、互いに接続されている、
請求項１２記載のプリント写真撮像用器具。
【請求項１４】
前記第１板は、その幅方向の中央で分割され、そこで折り畳めるようにされているとともに、前記保持手段の一部は、前記第１板とともに折り畳めるようにされ、且つ前記保持手段の残部は、前記保持手段の前記一部に対して着脱自在にされているとともに、
分割された前記第１板のそれぞれ、前記第２板、及び前記第３板のそれぞれが略同じ大きさとされており、
前記第１板を折り畳むとともに、前記第１板に、前記第２板と前記第３板を折り曲げた場合に、分割された前記第１板、前記第２板、及び前記第３板が分割された前記第１板の大きさに略相当する形状に納められるようになっている、
請求項１３記載のプリント写真撮像用器具。
【請求項１５】
前記第１板、前記第２板、及び前記第３板は、紙製である、
請求項１２記載のプリント写真撮像用器具。
【請求項１６】
前記保持手段は、前記第１板の上端近辺に取付けられており、
前記第２板、及び前記第３板の互いに対向する面のうちの前記拡散反射手段として機能する部分は、前記第２板及び前記第３板の上方の部分のうち、略上１／３の部分の少なくとも一部とされている、
請求項１３記載のプリント写真撮像用器具。
【請求項１７】
前記台板の上側の面、前記第１板の前記保持手段が取付けられている面、前記第２板及び前記第３板の互いに対向する面は、前記第２板、及び前記第３板の拡散反射手段として機能するようにされている部分を除いて、その明度が３以下の色彩とされている、
請求項１２〜１６のいずれかに記載のプリント写真撮像用器具。
【請求項１８】
前記第２板、及び前記第３板の拡散反射手段として機能するようにされている部分は、その明度が７以上の色彩とされている、
請求項１７記載のプリント写真撮像用器具。
【請求項１９】
請求項１〜１８のいずれかに記載のプリント写真撮像用器具と、当該プリント写真撮像用器具との組合わせにより、プリント写真の撮像を行なうデジタルカメラとを含んでなる、
プリント写真撮像用器具セット。
【発明の詳細な説明】
【技術分野】
【０００１】
本発明は、プリント写真の撮像を行なうためのプリント写真撮像用器具に関する。
【背景技術】
【０００２】
銀塩カメラの時代は、写真はプリント後のもの（プリント写真）を、例えばアルバムに貼り付けて保存するのが主流であった。そして、そのようなプリント写真は、例えばその色彩が劣化する。プリント写真の長期保存を可能にするための工夫は種々行なわれているが、それでもプリント写真が劣化するのは止めることができない。
ネガフィルムが存在していれば、再度のプリントにより古いプリント写真を再生することが可能であるが、ネガフィルムが保存されているのは稀である。そのような状況下で、スキャナによりプリント写真を画像データとしてパーソナルコンピュータに取り込むことが行なわれている。その後、パーソナルコンピュータ等で適当な画像処理ソフトを用いてその画像データに画像処理を行なうことによって、劣化したプリント写真の画像データを修正し、元の状態のプリント写真を再生することができる。
もっとも、プリント写真をスキャナにより画像データ化するのは何も劣化したプリント写真の再生を目的とした場合に限られない。嵩張るプリント写真を画像データ化すれば、ハードディスク、ＳＤカード、ＵＳＢメモリ、ブルーレイディスク等の高密度での情報の記録が可能な安価な記録媒体が溢れている現代において、置き場に困ることの多いプリント写真の収納スペースを小さくすることは簡単である。
【０００３】
プリント写真の画像データ化には、上述の如きメリットがある。しかしながら、スキャナがすべての家庭等に存在するわけではないし、仮にスキャナが存在したとしても、プリント写真の画像データ化をスキャナを用いて行なうのは面倒であり、時間が掛る。
【０００４】
本願発明者は、そのような事情に鑑み研究を行い、プリント写真を画像データ化するにはデジタルカメラを利用すればよいということに思い至った。デジタルカメラの普及率は非常に高く、また、デジタルカメラを用いれば、スキャナを用いるより簡単に、短時間でプリント写真の画像データ化を実現できる。
【０００５】
そこで、本願発明者は、デジタルカメラを用いて、プリント写真の撮像を行なってみた。すると、デジタルカメラを用いてのプリント写真の画像データ化は、簡単ではないということが判った。
最近のデジタルカメラのフラッシュは、通常、撮像対象物までの距離に応じてフラッシュから照射される照明光の強度を変更させる機能を有する。そのためプリント写真を撮像しようとした場合にデジタルカメラからプリント写真までの距離が短いと、フラッシュが照射する照明光の光量が不足し、適切な条件でのプリント写真の撮像を行えなくなることがある。
そのような問題を解決するには、デジタルカメラからプリント写真までの距離を長く保つことが必要となるが、それはプリント写真を撮像するための器具の大型化を招くため事実上採用することができない。
更に、デジタルカメラを用いてプリント写真を撮像する場合には以下のような問題も考慮する必要がある。
例えば机の上に置いた写真をその直上方向から撮像した場合、フラッシュからの照明光が、プリント写真を構成する艶のある印画紙の表面で反射され、撮像されたプリント写真の画像にハレーションが生じてしまう。画像におけるハレーションをなくすには、例えば、フラッシュからの照明光を何かに当てて拡散反射させてからプリント写真に照射すればよい。或いは、出願人が公開特許公報平成１１年第３３２８３０号、公開特許公報平成５年第１６７９２５号などで兼ねてから提案している、照明光側と撮像側に、それを通過することのできる偏光の向きが互いに直交するようにされた偏光板をそれぞれ配置する技術を用いて、撮像を行なうための像光からハレーションの原因となる表面反射光を除けばよい。
しかしながら、上述のような拡散反射を用いる技術を用いた場合には、プリント写真に向かう光量が減るので、また、上述のような２枚の偏光板を用いる技術を用いた場合には、偏光板を通過するたびに照明光又は像光が減るので、いずれにせよ照明光は減るか、若しくはプリント写真の画像が暗くなる。したがって、プリント写真の画像にハレーションを生じないようにすると、照明光の不足の問題は益々大きくなる。
【発明の開示】
【発明が解決しようとする課題】
【０００６】
本発明は、以上のような問題点を解消するものであり、デジタルカメラのフラッシュを利用しての十分な光量でのプリント写真を画像データ化するための撮像を行なえるとともに、そのために用いる器具の大型化を防止する技術を提供することを目的とする。
【課題を解決するための手段】
【０００７】
本願発明者は、かかる課題を解決するための発明として、以下のものを提案する。
本願発明は、撮像用のフラッシュ及び撮像用のレンズを備えるとともに、撮像対象物までの距離に応じて前記フラッシュから照射される照明光の強度を変更させる機能を有するデジタルカメラと組合わせて用いられるものであり、所定のプリント写真を前記デジタルカメラのフラッシュを用いて前記デジタルカメラで撮像するために用いられる、プリント写真撮像用器具である。
このプリント写真撮像用器具は、前記デジタルカメラを下向きに保持して、前記写真から所定の距離に前記デジタルカメラを位置決めする保持手段と、前記保持手段が保持した前記デジタルカメラが備える前記レンズと同軸とされる補助レンズとを備えているとともに、前記補助レンズは、前記デジタルカメラ自体の設定が遠景又は風景の撮影を行なうようになっている状態で、前記デジタルカメラで近接撮影を行なえる程度に、前記レンズと前記補助レンズを合成した場合の焦点距離が短くなるようにされている。
このプリント写真撮像用器具は、前記保持手段が保持した前記デジタルカメラが備える前記レンズと同軸とされる補助レンズを備えており、この補助レンズは、前記デジタルカメラ自体の設定が遠景又は風景の撮影を行なうようになっている状態で、前記デジタルカメラで近接撮影を行なえる程度に、前記レンズと前記補助レンズを合成した場合の焦点距離が短くなるようにされている。
したがって、このプリント写真撮像用器具であれば、デジタルカメラの設定が遠景又は風景の撮影を行なうようになっている状態で、つまりフラッシュから出る照明光の光量が多い状態で、デジタルカメラに近い位置での撮像を行わせることができるようになる。これは、デジタルカメラのフラッシュから出る照明光の光量を大きくすることと、プリント写真撮像用器具の大きさを小さくさせることを両立させる。本願発明におけるプリント写真撮像用器具を用いてプリント写真を撮像する場合におけるデジタルカメラからプリント写真までの距離は、２０ｃｍ程度から５０ｃｍ程度、遠くてもせいぜい１ｍ程度を想定している。
なお、デジタルカメラのフラッシュから出る照明光の光量の増減は、ある距離より近いところを撮像するか否かという撮像距離についての所定の閾値を境に２段階とされている場合、上述の閾値を幾つか設けることにより複数段階とされている場合、閾値を用いることなく撮像対象物までの距離に応じて無段階とされている場合等様々であるが、一般に、遠景又は風景の撮影を行なうようにされている場合には、フラッシュの光量は最大となるようにされている。本願発明の補助レンズは、必ずしもデジタルカメラのフラッシュの光量が最大となるような制御をデジタルカメラに行なわせることを必要とするものではないが、デジタルカメラのフラッシュの光量が閾値を境に２段階とされている場合には少なくとも、フラッシュの光量が多い方を選択するような制御をデジタルカメラに行わせるものとする。
なお、補助レンズは一般的にプラスのパワーのレンズである。
【０００８】
本願のプリント写真撮像用器具は、撮像されたプリント写真の画像にハレーションを生じさせないようにするための仕組を備えていてもよい。そのための仕組としては、上述の如き、フラッシュからの照明光を何かに拡散反射させてからプリント写真に照射する技術、或いは照明側と撮像側にそれぞれ偏光板を配する仕組を採用しうる。
例えば、プリント写真撮像用器具は、前記デジタルカメラのフラッシュから下向きに照射された照明光を、前記デジタルカメラの下方に配された所定のプリント写真に少なくともその一部が向かうように拡散反射させる拡散反射手段を備えているものとすることができる。なお、本願における「拡散反射」は、「平坦でないかざらざらした表面による光の反射を意味し、入射光が色々な角度で反射しているかのように見える現象」を意味するものとする。
拡散反射手段を備える本願発明のプリント写真撮像用器具は、また、前記デジタルカメラのフラッシュから下向きに照射された照明光を、略水平の複数の方向に反射する、前記保持手段に保持された前記デジタルカメラの前記フラッシュの下方に位置させられる反射手段を備えていてもよい。この場合、前記拡散反射手段は、前記反射手段で反射された前記照明光を、拡散反射された前記照明光のうちの前記一部が、前記デジタルカメラの下方に配された所定のプリント写真に、当該照明光を用いて前記デジタルカメラで撮像された前記プリント写真の画像にハレーションを生じさせないような浅い角度で斜め上から照射するようにすることができる。
拡散反射手段を介して照明光をプリント写真に照射するようにしても、拡散反射された照明光がプリント写真に垂直に近い角度で照射されると、プリント写真を撮像した画像にハレーションが生じるおそれがある。デジタルカメラのフラッシュから真下に照射された照明光を反射手段で一端水平に近い方向に反射してから拡散反射手段で拡散反射して、上述の如き浅い角度で斜め上からプリント写真に照射することにすれば、プリント写真を撮像した画像にハレーションが生じる可能性を極力小さくできる。
反射手段を備えるプリント写真撮像用器具では、拡散反射手段で反射された照明光は、プリント写真に、上述したように斜め上から照射される。このとき、拡散反射手段のうちの反射手段からの照明光が最も強く当たる部分で拡散反射されてプリント写真の中心に向かう照明光の入射角は、凡そ３０°〜６０°程度となっているのが良い。入射角が３０°を下回るとプリント写真を撮像した画像にハレーションが生じ易くなり、入射角が６０°を上回ると照明光の強度不足が生じ易くなるからである。好ましい入射角は、４５°程度、例えば４５°±１０°である。
なお、この場合でも、拡散反射手段で反射された照明光には、その強さが一定以上であればプリント写真を撮像した画像にハレーションを生じさせるような角度でプリント写真に向かうものが存在する場合があるが、そのような照明光は、結果的にプリント写真を撮像した画像にハレーションが生じないのであれば、本願発明においては無視して構わないものとする。
【０００９】
本願の反射手段は、デジタルカメラのフラッシュから下向きに照射された照明光を、略水平の複数の方向に反射するものとされていれば、その具体的な構成は問わない。もっとも、照明光を反射する場合における光量の低減を防ぐという観点から、反射手段は、照明光を効率よく反射する物、例えば７０％内外、或いはそれ以上の反射率で光を反射できる鏡により構成することが好ましい。
反射手段を、照明光を、略水平の複数の方向に反射するものとするのは、複数方向に反射された照明光は、拡散反射手段の複数の場所で（或いは複数の拡散反射手段で）拡散反射されることにより、複数方向からの拡散反射光を照明光として用いることを可能とするので、プリント写真に影が生じる可能性を低減できることを考慮したものである。反射手段を、照明光を、略水平の複数の方向に反射するものとする場合における「複数の方向」は、２以上であれば幾つでもよい。例えば、その半径と高さが同一でその側面が鏡とされている円錐形状の反射手段を、フラッシュの直下に、その軸をフラッシュの光軸と一致させて配することとすれば、照明光は、略水平の無数の方向に反射されることになるし、断面が直角二等辺三角形の三角柱であり直角二等辺三角形の直角を挟む２つの辺を含む側面が鏡とされている反射手段を、フラッシュの直下に、その直角二等辺三角形の斜辺を含む側面をフラッシュの光軸と直行させ、且つフラッシュの光軸の直下に直角二等辺三角形の頂点を含む辺の中点が位置するようにして配置すれば、照明光は、略水平であり互いに逆向きの２つの方向に反射されることになる。
前記反射手段が、前記照明光を、略水平であり互いに逆向きの２つの方向に反射するようになっている場合には、前記拡散反射手段はそれぞれ、２つの方向に反射された前記照明光のうちの一方を拡散反射させるようにすることができる。この場合、プリント写真には、２つの方向、それもプリント写真を挟んで逆向きとなる２つの方向から、拡散反射手段で拡散反射された照明光が照射されることになる。このような条件を充足する照明光を用いてプリント写真を撮像すれば、プリント写真に影は略生じない。
【００１０】
拡散反射手段は、上述したように、反射手段で反射された照明光の先に置かれ、反射された照明光を拡散反射させるものである。拡散反射手段は、照明光で反射された照明光の数だけ準備されるのが基本である。例えば、上述の円錐形の反射手段を用いて、反射光を無数の方向に反射するのであれば、拡散反射手段は反射手段を取り囲むような形状、例えば、その内側面が照明光を拡散反射させるようにされた円筒形状とすることができる。
拡散反射手段が、反射手段で反射された照明光を拡散反射させることとしているのは、プリント写真に照射される照明光のムラを低減させるためである。その目的が達成されるのであれば、拡散反射手段はどのようなものであっても構わない。拡散反射手段は、照明光のムラができない程度に光の反射率が低いものがよく、且つ照明光が足りなくならない程度に光の吸収率が低いものが良い。
例えば、拡散反射手段は、必ずしもこの限りではないが、紙とすることができる。拡散反射手段は、必ずしもこの限りではないが、その明度が７以上の色彩とすることができる。拡散反射手段の明度が７以上であれば、光の吸収は抑えられる。この場合の色彩は、無彩色でも有彩色でもよい。
【００１１】
上述した反射手段は、例えば、前記保持手段に設けられていてもよい。この場合、前記保持手段には、前記反射手段で反射された前記照明光のうち、前記拡散反射手段に向かわずに直接前記プリント写真に向かう光を遮断する遮断手段が設けられていてもよい。
本願発明では、反射手段、拡散反射手段を経たフラッシュからの照明光が、デジタルカメラの下方に配されたプリント写真に照射される、という構成を基本的に採用している。しかしながら、反射手段で反射された光の一部は、例えば保持手段のどこかで反射され、プリント写真に対して略真上から照射される可能性がある。このような照明光は、プリント写真の画像にハレーションを生じさせる可能性があるが、上述の如き遮断手段があれば、プリント写真の画像にハレーションを生じさせることを防止できることになる。
遮断手段は、例えば、反射手段で反射された照明光が向かう方向に沿って保持手段から伸びる板状体とすることができる。なお、この場合の板状体は、反射手段よりもやや下方の位置に設けるのが好ましい。
本願のプリント写真撮像用器具は、前記反射手段をその内部に収納する筒であり、その両端の開口から、前記反射手段で反射された略水平であり互いに逆向きの２つの照明光が一つずつ出るようにされている筒状体を備えていてもよい。この場合、当該筒状体が、前記遮断手段を兼ねるようにすることができる。筒状体が遮断手段を兼ねるようにするには、筒状体の長さを、拡散反射手段を経ずにプリント写真に対して略真上から照射される照明光がなくなるように設計すればよい。
【００１２】
本願発明における前記反射手段は、前記保持手段に保持された前記デジタルカメラの横方向に平行移動できるようにされていてもよい。本願発明によるプリント写真撮像用器具は、その保持手段等と相性の良いデジタルカメラと組合わせて用いることになる可能性が大きいが、同じメーカの同じシリーズ等のデジタルカメラ、或いは同じメーカのあるデジタルカメラの後継機種などの場合、デジタルカメラのフラッシュの位置がデジタルカメラの本体に対して相対的に移動している場合がある。そのような場合であっても、反射手段を上述のように平行移動させられるようにしておけば、デジタルカメラのフラッシュは本体に対して横方向にはずれても縦方向にはずれることが設計上の理由で小さいこともあり、一つのプリント写真撮像用器具で対応できるデジタルカメラの種類を増やせる可能性が高くなる。
なお、上述の筒状体を有するプリント写真撮像用器具の場合であれば、前記筒状体は、前記保持手段に保持された前記デジタルカメラの横方向に平行移動できるようにされていてもよい。
【００１３】
本願発明における前記保持手段は、前記デジタルカメラを保持した状態で前記デジタルカメラの横方向に平行移動できるようにされていてもよい。
保持手段で保持されたデジタルカメラでプリント写真を撮像しようとした場合、デジタルカメラの撮像範囲からプリント写真がずれている場合がある。保持手段を平行移動できるようにしておけば、デジタルカメラの位置調整が可能となる。また、上述のように反射手段がデジタルカメラの横方向に移動できるようにされている場合には、それに加えて保持手段を左右方向にずらすことができるようにされていれば、２つの拡散反射手段の略中央に反射手段を置くことが可能となる。これは、２つの拡散反射手段からプリント写真に向かう照明光の強度を同程度にすることにより、プリント写真に影が生じにくくすることに寄与する。
【００１４】
補助手段、拡散反射手段の素材、形状はどのようなものとしてもよいが、両者はともに、板状とすることができる。
例えば、本願発明のプリント写真撮像用器具は、撮像されるプリント写真をその上に載置する、所定の面の上に置かれる板状の台板と、前記台板の上に位置決めした状態で略垂直に立てられる、略矩形で板状の第１板と、前記台板の上に位置決めした状態で略垂直に立てられる、略矩形で板状の第２板と、前記台板の上に位置決めした状態で略垂直に立てられる、略矩形で板状の第３板と、を備えているものとすることができる。
この場合、前記第２板と前記第３板はその縦方向の一辺を、前記第１板の縦方向の辺のそれぞれに隣接させるように位置決めされることで、前記第１板、前記第２板、及び前記第３板は、全体として平面視で略コの字形状となるようにされているとともに、前記第１板の前記略コの字形状の内側に位置する面に、前記保持手段が取付けられているとともに、前記第２板、及び前記第３板の互いに対向する面の一部はそれぞれ、前記反射手段で反射され、略水平であり互いに逆向きの２つの方向に反射された照明光の一方を拡散反射させる前記拡散反射手段として機能するようにされているようにすることができる。
上述の如き、第１板、第２板、第３板による平面視略コの字形状は、コの字の開放された部分からの撮像対象となるプリント写真の出し入れが容易であるという利点と、その開放された部分以外からの、プリント写真の画像にハレーションを生じさせる外光の侵入防止を行なえる、という点で価値が高い。
【００１５】
台板、第１板、第２板、及び第３板を備えるプリント写真撮像用器具は、前記第１板、前記第２板、前記第３板をそれぞれ、前記台板に対して着脱自在に構成することができる。この場合、前記第１板と前記第２板の互いに隣接する辺は、前記第２板を前記第１板に対して重ねられるように折り曲げられるようにして、互いに接続され、且つ前記第１板と前記第３板の互いに隣接する辺は、前記第３板を前記第１板に対して重ねられるように折り曲げられるようにして、互いに接続することができる。
このようにすることで、そもそも板状である台板と、第２板と第３板を折り曲げて第１板と併せて板状にしたものとを重ね合わせることができるようになるため、プリント写真撮像用器具の仕舞寸法を小さくすることができるようになる。
プリント写真撮像用器具の仕舞寸法を更に小さくするには、前記第１板を、その幅方向の中央で分割され、そこで折り畳めるようにすると良い。この場合、前記保持手段の一部は、前記第１板とともに折り畳めるようにし、且つ前記保持手段の残部は、前記保持手段の前記一部に対して着脱自在にすることができる。また、この場合には、分割された前記第１板のそれぞれ、前記第２板、及び前記第３板のそれぞれが略同じ大きさとされており、前記第１板を折り畳むとともに、前記第１板に、前記第２板と前記第３板を折り曲げた場合に、分割された前記第１板、前記第２板、及び前記第３板が分割された前記第１板の大きさに略相当する形状に納められるようにすることができる。
このようにすることで、仕舞時の第１板、第２板、第３板を、分割された第１板の寸法に収められるようになる。なお、上述の保持手段の一部を、仕舞時の第１板に取付けた構成とするのは、第１板に対する保持手段の高さ方向での位置決めを不動のものとするためである。
【００１６】
本願発明が前記第１板、前記第２板、及び前記第３板を備える上述のものである場合、それらのうちの少なくとも一つを、紙製とすることができる。もちろんこれらすべてを紙製とすることも可能であるが、前記第１板、前記第２板、及び前記第３板の少なくとも一部に紙を素材として採用することにより、プリント写真撮像用器具の重量を軽くすることができる。
【００１７】
本願発明が前記第１板、前記第２板、及び前記第３板を備える上述のものである場合、前記保持手段は、前記第１板の上端近辺に取付けられており、前記第２板、及び前記第３板の互いに対向する面のうちの前記拡散反射手段として機能する部分は、前記第２板及び前記第３板の上方の部分のうち、略上１／３の部分の少なくとも一部とされていてもよい。
保持手段を第１板の上端付近に取付けることにより、第１板の高さを小さくすることができる。この場合、第２板及び第３板の上方の部分のうち、略上１／３の部分の少なくとも一部が拡散反射手段となる。
【００１８】
台板、第１板、第２板、及び第３板を備えるプリント写真撮像用器具の場合、前記台板の上側の面、前記第１板の前記保持手段が取付けられている面、前記第２板及び前記第３板の互いに対向する面は、前記第２板、及び前記第３板の拡散反射手段として機能するようにされている部分を除いて、その明度を３以下の色彩とすることができる。この場合の色彩は有彩色と無彩色のいずれでもよい。
このようにすることにより、台板、第１板、第２板、及び第３板の拡散反射手段以外の部分では、照明光（或いは、外部からの光）が反射されることが少なくなるため、プリント写真の画像にハレーションが生じる可能性が小さくなる。
台板、第１板、第２板、及び第３板の拡散反射手段以外の部分の明度を小さくした上述のプリント写真撮像用器具の場合、前記第２板、及び前記第３板の拡散反射手段として機能するようにされている部分の明度を７以上の色彩とすることができる。
【００１９】
また、本願出願人は、以上説明したプリント写真撮像用器具と、当該プリント写真撮像用器具との組合わせにより、プリント写真の撮像を行なうカメラとを含んでなる、プリント写真撮像用器具セットを提案する。このプリント写真撮像用器具セットを用いれば、以上で説明したプリント写真撮像用器具が奏する効果を得られる。
【発明を実施するための最良の形態】
【００２０】
以下、本発明の好ましい一実施形態を、図面を参照しながら詳細に説明する。
まず、この実施形態によるプリント写真撮像用器具は、デジタルカメラと組合わせて用いられるものとなっている。この実施形態で用いられるデジタルカメラは、これには限られないがコンパクトデジタルカメラである。コンパクトデジタルカメラは、その多くが平べったい略直方体形状の筐体を有しており、所定の平面上に下向きに載置した場合の座りが良い。そのような理由で、この実施形態のデジタルカメラはコンパクトカメラとされている。
【００２１】
この実施形態のプリント写真撮像用器具は、図１の全体斜視図に示されたように、台板１と、台板１に対して略垂直な状態で着脱を行なえるようにされた立板２とを備えている。立板２は、広い面積の背面板２Ａと、それより狭い面積の２枚の側面板２Ｂを備えている。背面板２Ａと、２枚の側面板２Ｂは、隣接する辺を共有しており、その辺で接続されている。使用時における背面板２Ａと側面板２Ｂは平面視で直行するようにされており、使用時における立板２は全体として、平面視したときにコの字形状となるようにされている。
台板１、立板２はいずれも、必ずしもこの限りではないが、厚紙により構成されている。
【００２２】
台板１の構成を説明する。
台板１は、図２に示されたパターンに沿って切り抜かれた厚紙によって形成されている。この厚紙の厚さは全体的に一様であり、略２ｍｍである。なお、この厚紙は光沢がなく、また、その両面の色彩の明度は３以下、好ましくは２以下とされている。この実施形態では、厚紙の両面の色彩は、必ずしもこの限りではないが、明度が略０の艶のない黒色とされている。
台板１を作るためのパターンは、台板中央部１１と、台板中央部１１に接続された２つの台板折り畳み部１２と、台板折り畳み部１２に更に接続された２つの台板補強部１３とからなる。
台板中央部１１、台板折り畳み部１２、及び台板補強部１３はいずれも、この実施形態では矩形とされている。２つの台板折り畳み部１２はいずれも、その一辺が台板中央部１１の対向する一辺に接続されている。台板補強部１３はいずれも、その一辺が台板中央部１１との接続がなされている辺と対になっている台板折り畳み部１２の一辺に接続されている。
【００２３】
台板折り畳み部１２には、略Ｌ字形の第１固定孔１４と、略矩形の第２固定孔１５が設けられている。また、台板補強部１３には、略Ｌ字形の第１固定孔１６と、略矩形の第２固定孔１７が設けられている。台板補強部１３の第１固定孔１６と、第２固定孔１７の形状は、各台板補強部１３が隣接する台板折り畳み部１２と共有する辺を基準として、台板折り畳み部１２の第１固定孔１４と、第２固定孔１５と線対称の関係となるようにされている。
台板１を作るための図２に示したパターンから台板１を作るには、２つの台板補強部１３を、それが隣接する台板折り畳み部１２と共有する辺で台板折り畳み部１２に向けて谷折りし、台板折り畳み部１２にその全面を接着する。したがって、最終的な台板１の形状は、台板１を作るための図２に示したパターンから、２つの台板補強部１３を除いた矩形となる。
台板折り畳み部１２のうち、台板補強部１３と接着された部分は、その厚さが２倍になり台板補強部１３により補強される。また、台板補強部１３の第１固定孔１６と、第２固定孔１７はそれぞれ、台板折り畳み部１２の第１固定孔１４と、第２固定孔１５に完全に重なり合い、第１固定孔１４及び第１固定孔１６と、第２固定孔１５及び第２固定孔１７はともに、一連の孔となる。
なお、この状態で、２つの台板折り畳み部１２はともに、この実施形態では、台板中央部１１との関係で山折りが可能とされており、山折りすることで台板中央部１１に重ねあわせを行なえるようになっている。
【００２４】
次に、立板２の構成を説明する。
立板２は、図３に示されたパターンに沿って切り抜かれた厚紙によって形成されている。この厚紙は、必ずしもこの限りではないが、台板１を作るために用いられた厚紙と同じものとされている。つまり、この厚紙は、厚さが略２ｍｍ、両面黒色である。ただし、この実施形態の厚紙では、後述する側面上補強部２４の背面（図３における奥側の面）の色彩は、その明度が７以上、より好ましくは８以上とされる。より正確には、その色彩は、明度が略９の白色とされている。
立板２を作るためのパターンは、縦方向に走るその中央線を境に左右対称とされた２つの背面部２１と、２つの背面部２１の上部にそれぞれ接続された帯状の背面補強部２２と、背面部２１のそれぞれの外側に接続された２つの側面部２３と、側面部２３のそれぞれの上側に接続された２つの側面上補強部２４と、側面部２３のそれぞれの外側に接続された２つの側面横補強部２５と、を備えてなる。
【００２５】
２つの背面部２１は略矩形とされている。
２つの背面部２１は、隣接する辺（中央線）を共有するようにされているとともに、隣接する辺を境に山折りすることにより、背面部２１の背面（図３における奥側の面）同士を当接させられるようにされている。背面部２１の外側寄り下方には、下方向に向けて細くなる形状とされた背面脚部２６が設けられている。背面脚部２６の下端の幅は、図２に示した台板折り畳み部１２の第１固定孔１４及び台板補強部１３の第１固定孔１６の図２における横方向の長さと略一致している。
２つの背面部２１には、いずれも、縦方向に走る細長い矩形の縦孔２７が設けられている。この縦孔２７は、中央線を境に左右対称の位置関係にある。
【００２６】
２つの側面部２３はいずれも略矩形とされている。なお、側面部２３は、背面部２１と略同じ大きさとされ、且つ台板２の台板中央部１１とも略同じ大きさとされている。特に、これらの横幅はいずれも略等しくなっている。
２つの側面部２３はいずれも、隣接する背面部２１とその一辺を共有するようになっており、その共有する辺で山折り及び谷折りができるようになっている。谷折りをした場合、側面部２３は、少なくとも背面部２１と直交する位置まで背面部２１に対して曲折できるようにされている。山折りをした場合、側面部は、その背面を、隣接する背面部２１の背面に当接できるようにされている。
側面部２３の内側寄り下方には、下方向に向けて細くなる形状とされた側面第１脚部２８が設けられている。側面第１脚部２８は、背面脚部２６と一連とされている。側面第１脚部２８の下端の幅は、図２に示した台板折り畳み部１２の第１固定孔１４及び台板補強部１３の第１固定孔１６の図２における縦方向の長さと略一致している。
側面部２３の外側寄り下方には、下方向に向けて細くなる形状とされた側面第２脚部２９が設けられている。側面第２脚部２９の下端の幅は、図２に示した台板折り畳み部１２の第２固定孔１５及び台板補強部１３の第２固定孔１７の図２における縦方向の長さと略一致している。
立板２を作るための図３に示したパターンから立板２を作るには、２つの背面補強部２２を、それが隣接する背面部２１と共有する辺で背面部２１に向けて谷折りしてその全面を背面部２１の前面に接着するとともに、２つの側面上補強部２４をそれが隣接する側面部２３に向けて谷折りしてその全面を側面部２３の前面に接着するとともに、２つの側面横補強部２５をそれが隣接する側面部２３に向けて谷折りしてその全面を側面部２３の前面に接着する。したがって、最終的な立板２の形状は、立板２を作るための図３に示したパターンから、背面補強部２２、側面上補強部２４、及び背面横補強部２５を除いた形状となる。
この状態における２つの背面部２１、及びそれらに接着された背面補強部２２が図１における背面板２Ａを構成し、この状態における２つの側面部２３、及びそれらに接着された側面上補強部２４と側面横補強部２５が図１における側面板２Ｂを構成することになる。
側面上補強部２４の背面は、上述したように白色とされている。したがって、できあがった立板２のうちの側面板２ｂのうちの図１に示した状態における対向する面の上側の一定の範囲（側面部２３に対して接着された側面上補強部２４の背面）は、白色となる。この白色の部分は、そこに当った光を拡散反射することができ、本願発明の拡散反射手段となる。当該部分を、以下拡散反射部と呼ぶこととし、Ｓの符号を付す。拡散反射部Ｓは、側面板２Ｂの使用時における互いに対向する面の上１／３の一部に当たる。拡散反射部Ｓを、側面板２Ｂの使用時における互いに対向する面の上１／３のすべてとすることも当然に可能である。
なお、２つの側面部２３はいずれも、上述したように、隣接する背面部２１と共有するその一辺で背面部２１に対して山折りと谷折りができるようになっているので、２つの側面板２Ｂはともに、背面板２Ａに対して、側面部２３と背面部２１との間に成立した上述の条件と同様の条件を満たすようにしながら、山折りと谷折りを行なえる。
【００２７】
図１に示したように、背面板２Ａには、保持補助部３０が設けられている。保持補助部３０を背面板２Ａに取付ける際に利用されるのが、背面部２１に設けられた、上述の縦孔２７である。
保持補助部３０の構成と、縦孔２７への取付け方を以下説明する。
保持補助部３０は、図４に示したようなパターンに沿って切り抜かれた厚紙によって形成されている。この厚紙は、必ずしもこの限りではないが、台板１を作るために用いられた厚紙と同じものとされている。つまり、この厚紙は、厚さが略２ｍｍ、両面黒色である。
保持補助部３０は、図１に示した状態で背面板２Ａに取付けられたときに水平になる水平保持部３１と、水平保持部３１の両側に設けられた略直角二等辺三角形に構成の取付け部３２とを備えている。
水平保持部３１は、その中央に、図１に示した取付け状態で前後方向に走る中央線を備えており、その中央線を境に谷折りできるようにされている。水平保持部３１を谷折した場合、水平保持部３１の中央線を境とした左右の部分は、その表面同士を当接させられるようになっている。水平保持部３１には、また、必ずしもこの限りではないがこの実施形態では小判形状とされた覗き孔３３が設けられている。覗き孔３３は、デジタルカメラがそれを通してプリント写真の撮像を行なえるようにするためのものである。デジタルカメラと保持補助部３０との関係については後述する。
取付け部３２は、水平保持部３１に対して山折り可能となっている。図１に示した状態で取付け部３２は、水平保持部３１と垂直な角度となっているが、取付け部３２はその状態を超えて、水平保持部３１に対して当接するまで折り曲げ可能となっている。取付け部３２の図４における上側には、帯状の接着部３４が設けられている。接着部３４の図４における横方向の長さは、背面部２１に設けられた縦孔２７の縦方向の長さに略一致するようにされている。水平保持部３１に対して直角となるようにして取付け部３２を折り曲げた後、左右に並んだ縦孔２７のそれぞれを貫通させた接着部３４は、その状態で取付け部３２に対して図１における右方向又は左方向のうちの任意の方向に折り曲げられ、背面部２１の裏側の面と当接する面の全面を背面部２１の裏側の面に接着されている。そうすることにより、保持補助部３０は、背面板２Ａに取付けられる。
なお、図１の状態で、水平保持部３１の中央線を延長すると、背面板２Ａの中央線と交わるようになっている。
【００２８】
プリント写真撮像用器具は、また、図５に示した如き、保持部材４０を備えている。保持部材４０は、保持補助部３０との組合わせにより、本願発明の保持手段を成すものであり、後述するデジタルカメラを保持する機能を有するものとされている。
以下、保持部材４０の構成を説明する。なお、保持部材４０の図５におけるＡ−Ａ縦断面図を図６に示す。
【００２９】
保持部材４０は、その大半を厚紙で構成されている。後述する鏡と補助レンズを除き、保持部材４０は厚紙で作られている。必ずしもこの限りではないが、保持部材４０を構成する厚紙は、台板１を作るために用いられた厚紙と同じものである。
【００３０】
保持部材４０は、略立方体形状とされている。
保持部材４０は、その前後左右をそれぞれ覆う壁部材４１Ａ〜４１Ｄを備えている。壁部材４１Ａ〜４１Ｄは、図５における上下方向の高さがそれぞれ一致するようにされており、また、いずれも矩形形状とされている。壁部材４１Ａ〜４１Ｄは隣接壁部材４１Ａ〜４１Ｄとその縦方向の辺で接続され、全体として上下方向を開口とする断面矩形形状の管形状となっている。壁部材４１Ｂと、壁部材４１Ｄとの間隔は、このプリント写真撮像用器具と組合わせて用いることが予定されているデジタルカメラの横幅と略同じになっている。壁部材４１Ａと、壁部材４１Ｃとの間隔は、このプリント写真撮像用器具と組合わせて用いることが予定されているデジタルカメラの縦の長さよりも大きくされている。
壁部材４１Ａ〜４１Ｄの上端よりもやや下方には、載置板４２が、壁部材４１Ａ〜４１Ｄの下端には底板４３が設けられている。載置板４２、底板４３は、いずれも厚紙でできている。
【００３１】
載置板４２は、その上にデジタルカメラを載置するためのものである。デジタルカメラは、後述するように下向きに（その正面を載置板４２に当接させた状態で）載置板４２上に載置される。より詳細には、デジタルカメラは、その上側を図５の奥側に向けた状態で、下向きにして載置板４２の上に載置される。保持部材４０は後述するようにして背面板２Ａに取付けられるが、そのとき載置板４２は略水平になるようにされる（この実施形態では、載置板４２は少なくとも理論上は水平となる。）。したがって、載置板４２に載せられたデジタルカメラは、その真下を撮像できるようになり、載置板４２に載せられたデジタルカメラのフラッシュからの照明光は、その真下に向けて照射されることになる。
載置板４２は、壁部材４１Ａ〜４１Ｄの上端よりもやや下方に取付けられているが、載置板４２の表面から壁部材４１Ａ〜４１Ｄの上端までの距離は、そこに載置されることが予定されたデジタルカメラの前後方向の厚さに略一致させられている。したがって、載置板４２に載置されたデジタルカメラの背面は、壁部材４１Ａ〜４１Ｄの上端と略面一となる。
載置板４２の、図５における手前側には、厚紙によって作られた直方体形状のスペーサ４４が取付けられている。スペーサ４４は、載置板４２の上に載置されたデジタルカメラの底面と当接するものであり、それによりデジタルカメラの上下方向の位置決めを行うものである。スペーサ４４は、壁部材４１Ｂから壁部材４１Ｄまでの間隔の全長に亘って配されている。載置板４２の図５における奥側には、左右方向を開口とする断面矩形形状の管形状とされた挟持体４５が取付けられている。挟持体４５は、載置板４２の上に載置されたデジタルカメラの上面と当接するものであり、スペーサ４４との間でデジタルカメラを上下方向から挟み込んでデジタルカメラの上下方向での位置決めを行う。挟持体４５は、多少の弾性を有するように設計されており、挟持体４５とスペーサ４４の間に挟まれたデジタルカメラは、その間でしっかりと固定されることになる。上述したように、壁部材４１Ｂと、壁部材４１Ｄとの間隔は、プリント写真撮像用器具と組合わせて用いることが予定されているデジタルカメラの横幅と略同じになっているので、載置板４２に載せられたデジタルカメラの横方向の位置は、壁部材４１Ｂと、壁部材４１Ｄにより位置決めされるようになっている。これと併せると、載置板４２に載置されたデジタルカメラは、その上下方向、左右方向のいずれについても予定された所定の位置に位置決めされることになる。なお、挟持体４５は、その一端が壁部材４１Ｂに当接しているが、その他端が壁部材４１Ｄまで届かないようにされている。これは、挟持体４５の他端から壁部材４１Ｄまでの間の空間を露出させておくためである。この実施形態で用いられることが予定されているデジタルカメラは、そのシャッターボタンが上面右寄りにあるため、デジタルカメラが載置板４２の上に載置された場合、シャッターボタンが、挟持体４５の他端から壁部材４１Ｄまでの間の空間に位置することとなる。その空間を露出させておくことで、ユーザはデジタルカメラのシャッターボタンの操作を行なえることになる。なお、デジタルカメラのシャッターボタンの操作を行なえるような工夫は、挟持体４５の長さを上述のような長さとするのみでなく、適当に行えばよい。
【００３２】
載置板４２には、また、レンズ孔４２Ａが穿設されている。レンズ孔４２Ａは、載置板４２の上に下向きに置かれたデジタルカメラが、後述するように台板１の上に載せられることになるプリント写真の撮像を行なえるようにするためのものである。この実施形態では、これには限らないがレンズ孔４２Ａは円形である。レンズ孔４２Ａの位置は、上述したような位置決めがされた上で載置板４２の上に下向きに置かれたデジタルカメラが備えるレンズの位置に対応するようにされており、また、レンズ孔４２Ａの大きさは、載置板４２の上に置かれたデジタルカメラが備えるレンズに掛らないようにされている。
載置板４２には、また、フラッシュ孔４２Ｂが穿設されている。フラッシュ孔４２Ｂは、載置板４２の上に下向きに置かれたデジタルカメラのフラッシュからの照明光を取込むためのものである。フラッシュ孔４２Ｂは、この実施形態では、これには限らないが矩形である。フラッシュ孔４２Ｂの位置は、上述したような位置決めがされた上で載置板４２の上に下向きに置かれたデジタルカメラが備えるフラッシュの位置に対応するようにされており、また、フラッシュ孔４２Ｂ大きさは、載置板４２の上に置かれたデジタルカメラが備えるフラッシュに掛らないようにされている。なお、フラッシュ孔４２Ｂの壁部材４１Ｂと壁部材４１Ｄに垂直な方向の長さは、フラッシュの横幅に対して余裕を取ってある。
【００３３】
底板４３には、第２レンズ孔４３Ａが穿設されている。第２レンズ孔４３Ａは、保持部材４０を平面視した場合にレンズ孔４２Ａと対応する位置に設けられている。第２レンズ孔４３Ａはこの実施形態では、必ずしもこの限りではないが円形とされている。第２レンズ孔４３Ａは、デジタルカメラでプリント写真を撮像する場合に、底板４３の第２レンズ孔４３Ａの周囲部分がデジタルカメラの撮像範囲に入り込まないようにされている。
底板４３と載置板４２の間には、両者を結ぶ仕切り板４６が設けられている。仕切り板４６は、底板４３と載置板４２の間の空間のうち、レンズ孔４２Ａ及び第２レンズ孔４３Ａを結ぶ部分を他の部分から仕切るものである。仕切り板４６は、４枚の矩形の黒い厚紙でできており、底板４３と載置板４２の間の空間のうち、レンズ孔４２Ａ及び第２レンズ孔４３Ａを結ぶ部分の周囲を、保持部材４０を平面視した場合に矩形に取り囲むように配置されている。このような構成により、載置板４２に載置されたデジタルカメラのレンズは、外部に露出している第２レンズ孔４３Ａから見てかなり奥まったところに位置することになる。それにより、デジタルカメラのレンズに、本来撮像しようとしているプリント写真からの像光以外の光、特に後述するようにしてフラッシュから出た光のうち意図せずデジタルカメラのレンズに向かうことになった光が届かなくなるので、デジタルカメラでのプリント写真の撮像を意図した像光のみで行なえるようになる。
底板４３と載置板４２の間の仕切り板４６で囲まれた空間には、狭い間隔で平行に配された２枚のマウント板４６Ａが設けられている。この実施形態では、マウント板４６Ａは、その周囲が仕切り板４６に固定されている。マウント板４６Ａには、円形の孔が穿設されている。マウント板４６Ａの孔は、デジタルカメラでプリント写真を撮像する場合に、マウント板４６Ａの孔の周囲部分がデジタルカメラの撮像範囲に入り込まないようにされている。マウント板４６Ａは、拡大レンズ４６Ｂを支持するためのものである。２枚のマウント板４６Ａは、図６に示されたような状態で拡大レンズ４６Ｂの周囲を挟持する。
拡大レンズ４６Ｂは、上述のように位置決めした状態で載置板４２の上に載置されたデジタルカメラのレンズと同軸となるようにされている。拡大レンズ４６Ｂは、デジタルカメラ自体の設定が遠景又は風景の撮影を行なうようになっている状態で、そのデジタルカメラが近接撮影を行なえる程度に、デジタルカメラのレンズと拡大レンズ４６Ｂの合成された焦点距離が短くなるようにするためのものである。拡大レンズ４６Ｂは、この実施形態ではプラスのパワーを持つ凸レンズである。
【００３４】
載置板４２のフラッシュ孔４２Ｂの下方には、載置板４２の上にデジタルカメラが載置された場合におけるデジタルカメラの横方向に伸びる支持筒４７が設けられている。支持筒４７は、この実施形態では、厚紙で作られた、断面矩形とされた筒である。支持筒４７の両端は壁部材４１Ｂと、壁部材４１Ｄに当接している。壁部材４１Ｂと壁部材４１Ｄの支持筒４７の端部と対応する部分には、支持筒４７の断面形状と同じ形状の孔が開けられている。支持筒４７のフラッシュ孔４２Ｂに対応する部分には、矩形の孔４７Ａが開けられている。この孔４７Ａを介して、デジタルカメラのフラッシュから出た照明光は支持筒４７の中に入る。
支持筒４７には、導光筒４８が挿入されている。導光筒４８は、この実施形態では、厚紙で作られており、支持筒４７に隙間なく挿入することのできる矩形の断面形状とされている。導光筒４８は、また、支持筒４７に挿入した状態で支持筒４７の長さ方向に自由にスライドさせられるようにされている。導光筒４８は、支持筒４７同様その両端が開放されている。また、導光筒４８の両端は、導光筒４８の両端を導光筒４８の長さ方向に延長した場合に、側面板２Ｂの拡散反射部Ｓに当たるようになっている。導光筒４８の長さは、壁部材４１Ｂと、壁部材４１Ｄの双方から導光筒４８を食み出させることのできるような長さとされている。導光筒４８の上面の一部には、矩形の孔４８Ａが穿設されている。デジタルカメラのフラッシュから出て、フラッシュ孔４２Ｂ、支持筒４７の孔４７Ａを介して支持筒４７の内部に導かれた照明光は、この孔４８Ａを介して導光筒４８の中に入るようにされている。
導光筒４８の内部には、反射鏡４８Ｂが設けられている。この実施形態の反射鏡４８Ｂは、図７に示したように、断面が直角二等辺三角形の三角柱形状となっている土台の斜面を鏡にした構造となっている。そして、その三角柱形状の土台の軸の向きは、導光筒４８の長さ方向と直交するようにされている。上述したように、デジタルカメラは載置板４２の上に下向きに置かれるので、デジタルカメラのフラッシュから出た照明光は、フラッシュ孔４２Ｂ、支持筒４７の孔４７Ａ、導光筒４８の孔４８Ａを介して反射鏡４８Ｂに当り、反射鏡４８Ｂで反射されて、導光筒４８の２つの開口に向かい、更にはその開口から出てその先にある拡散反射部Ｓに向かうことになる。つまり、この実施形態では、反射鏡４８Ｂで反射された光は、略水平で且つ逆向きの光となり、拡散反射部Ｓへ向かう。
なお、導光筒４８の内面は、導光筒４８内を通過する間の照明光の減衰乃至吸収を防止するために白色とされている。なお、導光筒４８の内面には、光の反射率を上げるための適当なコーティングがなされていてもよい。反射鏡４８Ｂで反射され導光筒４８の中を通って導光筒４８の両端から出る光は当然に、導光筒４８の両端に到るまでは下方向に進むことができない。つまり、導光筒４８は、拡散反射部Ｓに向かわずに直接プリント写真の方に向かう照明光を遮断する機能をも有する。
【００３５】
保持部材４０の壁部材４２Ｃの外側には挟持部４９が設けられている。挟持部４９は、保持部材４０と背面板２Ａとの固定をなすものである。この実施形態の挟持部４９は、保持部材４０を背面板２Ａに固定するとともに、背面板２Ａに固定された保持部材４０を背面板２Ａに対して横方向にスライドできるようにされている。このスライド方向は、保持部材４０に保持されたデジタルカメラとの関係でいえば、デジタルカメラの横方向に当たる。
挟持部４９は、この実施形態では、矩形の厚紙を、図６の断面図に示したような断面略コの字形状に折り曲げたものとされている。挟持部４９の隙間に背面板２Ａの上端を、保持部材４０の底板４３の下側の面が保持補助部３０の水平保持部３１の上側の面に当接するまで押込むことで、保持部材４０の背面板２Ａへの取付が完了する。このとき、保持部材４０の第２レンズ孔４３Ａは、保持補助部３０の水平保持部３１が有する覗き孔３３から下向きに露出することになる。
【００３６】
次に、このプリント写真撮像用器具を用いてプリント写真を撮像する方法について説明する。
このプリント写真撮像用器具でプリント写真を撮像するには、まず、水平な適当な平面の上に台板１を置く。仕舞時の台板１は、台板中央部１１に向けて台板折り畳み部１２を折り畳んだ状態となっている。２つの台板折り畳み部１２を展開し、それらを台板中央部１１と面一にしてから、台板１を適当な水平面の上に置く。
【００３７】
次いで、台板１の上に、立板２を立てる。仕舞時の立板２は、図８（Ａ）の平面図に示したような略Ｗ形状に畳まれている（なお、図８では、保持補助部３０の図示を省略した。）。この状態から、図８（Ｂ）の状態を経て、立板２を図８（Ｃ）の平面視で略コの字形状にする。そうしてから、立板２を台板１の上に立てる。
台板１の台板折り畳み部１２に対応した部分にはそれぞれ、第１固定孔１４、１６が一連になった孔と、第２固定孔１５、１７が一連になった孔が存在する。第１固定孔１４、１６が一連になった孔の図１の横方向の部分に背面脚部２６を、第１固定孔１４、１６が一連になった孔の図１の縦方向の部分に側面第１脚部２８を、そして第２固定孔１５、１７が一連になった孔に側面第２脚部２９をそれぞれ挿入することにより、台板１の上に立板２が位置決めした状態で立てられる。なお、仕舞時の立板２の中では、保持補助部３０が折り畳まれているが、台板１を開くと保持補助部３０は図１に示した状態となるので、台板１の上に立板２を立てた後の保持補助部３０も図１に示した状態となっている。
【００３８】
次に、保持部材４０を背面板２Ａに取付ける。
かかる取付けは、保持部材４０が備える挟持部４９の隙間に、背面板２Ａの上端を、保持部材４０の底板４３の下側の面が保持補助部３０の水平保持部３１の上側の面に当接するまで押込むことで行なう。保持部材４０は、この状態で保持補助部３０の上に載置された状態となる。この状態の保持部材４０は、挟持部４９により前後方向の位置決めが行われているものの、左右方向へのスライドが可能となっている。
【００３９】
次に、保持部材４０にデジタルカメラを取付ける。
この実施形態のデジタルカメラは、この保持部材４０に組合わせることが予定されたものとなっている。デジタルカメラは下向きにして、つまり、そのレンズを下向きとして保持部材４０に嵌め込まれる。図１でいえば、デジタルカメラの上側が手前に、図５でいえば、カメラの上側が奥に位置することになる。
載置板４２に載せられたデジタルカメラの横方向の位置は、壁部材４１Ｂと、壁部材４１Ｄにより位置決めされる。また、デジタルカメラの上下方向の位置は、スペーサ４４と挟持体４５により位置決めされる。これによりデジタルカメラは、載置板４２の上の予定されていた位置に位置決めされる。この状態で、デジタルカメラのレンズはレンズ孔４２Ａに対応した位置を取り、デジタルカメラのフラッシュはフラッシュ孔４２Ｂに対応した位置を取る。
【００４０】
この状態で、ユーザは、デジタルカメラを用いての撮像を行なう。なお、このときのデジタルカメラの設定は、デジタルカメラを保持部材４０に取付ける前にその設定がなされても取付けた後にその設定がなされても構わないが、遠景又は風景の撮影を行なうような設定にされている。
プリント写真は、台板１の上のデジタルカメラの真下、より詳細にはデジタルカメラが有するレンズの真下に、プリント写真の表面を上向きにして置かれる。プリント写真の向きは、平面視した場合のその天地が、デジタルカメラの上下と一致するようにする。
その状態でユーザは、普通のデジタルカメラが普通に有するズーム機能を用いて、デジタルカメラのフレーム一杯にプリント写真が入るようにする。この実施形態で用いるようなデジタルカメラには、その背面に例えば液晶で構成されたディスプレイが取付けられているのが通例なので、かかる調整を行なう場合には、ユーザはそのディスプレイに表示された画像を参考にすればよい。デジタルカメラの左右位置がずれているのであれば、ユーザはプリント写真を台板１の上で左右にずらすか、或いはデジタルカメラを保持する保持部材４０を背面板２Ａに対して左右にずらす。プリント写真の位置がデジタルカメラのフレーム一杯に収まるようになったら、ユーザは、シャッターボタンを押す。シャッターボタンは、この実施形態では、デジタルカメラの上面の右側寄りに設けられているが、シャッターボタンが存在する空間は、挟持体４５の図５の右端と壁部材４１Ｄに挟まれた露出された空間となっているので、ユーザがシャッターボタンを操作するに支障はない。なお、上述のズーム機能の操作を行うための操作子は、この実施形態のデジタルカメラではその背面に設けられているため、操作子の操作にも何らの支障がない。
【００４１】
ユーザがシャッターボタンを押すと、デジタルカメラのフラッシュが焚かれる。フラッシュは、デジタルカメラが遠景又は風景の撮影を行なうような設定にされているため、そのデジタルカメラが有するフラッシュの強度の中で少なくとも中間よりは強い方、この実施形態では最強となる。フラッシュが照射した光は、フラッシュ孔４２Ｂ、支持筒４７の孔４７Ａ、導光筒４８の孔４８Ａを介して導光筒４８に入り、導光筒４８の中の反射鏡４８Ｂに当る。反射鏡４８Ｂに当った照明光は、反射鏡４８Ｂで反射されて、略水平で且つ逆向きの光となり、導光筒４８の２つの開口をそれぞれ通って拡散反射部Ｓに向かう。導光筒４８の中を進む照明光は少なくとも導光筒４８の両端から出るまでは下方向に進まないので、拡散反射部Ｓを介さずに直接プリント写真へ進む光は殆どない。
拡散反射部Ｓに当った照明光は拡散反射部Ｓで拡散反射される。拡散反射部Ｓは、白い紙であるから照明光の吸収は極力抑えられ、また、その表面の微小な凹凸により拡散反射が自然に生じる。拡散反射部Ｓで照射された照明光は、デジタルカメラで撮像されたプリント写真がハレーションを起こさないような浅い角度で、プリント写真に斜め上から照射される。この状態を、概念的に示したのが図９である。この場合、拡散反射部Ｓのうちの反射鏡４６Ｂからの光が最も強く当たる部分（反射鏡４８Ｂの２つの斜面部分の中心同士を結ぶ直線を延長したものが拡散反射部Ｓと交わる点。図９で点Ｘとして示す。）からプリント写真Ｐに向かう光の入射角３０°〜６０°の範囲になるようにされていればよく、より詳細には４５°±１０°程度の範囲に収まるようにされている。
デジタルカメラＤＣのフラッシュＦから出た照明光lは、反射鏡４８Ｂで反射され、導光筒４８の中を通って拡散反射部Ｓに向かい、拡散反射部Ｓで拡散反射されてプリント写真Ｐに向かう。拡散反射部Ｓでの拡散反射によって照明光の一部はプリント写真Ｐに向かう方向以外の方向にも向かうことになるが、そのような光は、第２レンズ孔４３Ａから見てかなり奥まったところに位置するデジタルカメラＤＣのレンズＬには届かないため、デジタルカメラで行なわれるプリント写真Ｐの撮像に影響はない。
なお、かかる撮像を行なったときに、フラッシュＦから出て図１乃至図９における左右の拡散反射部Ｓに当たった照明光の強度がバランスを逸している場合には、導光筒４８を左右にずらしてフラッシュＦの真下に反射鏡４８Ｂが位置するように調整する。
【００４２】
プリント写真に照射された照明光は、プリント写真の像光となってデジタルカメラのレンズＬに向かう。より詳細には、像光は、保持部材４０の第２レンズ孔４３Ａ、拡大レンズ４６Ｂ、レンズ孔４２Ａを介してデジタルカメラのレンズに向かう。その像光により、デジタルカメラでプリント写真の画像が撮像される。デジタルカメラは遠景又は風景の撮影を行なうような設定にされているが、デジタルカメラのレンズと拡大レンズ４６Ｂの合成の焦点が、プリント写真にピントを合せることのできるものとされているため、デジタルカメラでプリント写真を撮像するには支障がない。プリント写真をデジタルカメラで撮像することにより、プリントされたプリント写真がデータ化される。このデータは、例えば、デジタルカメラに内蔵のＳＤカード等の記録手段などに記録され、その後適当な用途に利用される。
【００４３】
プリント写真を撮像し終わったら、そのプリント写真を台板１から除き、次のプリント写真を台板１の上に置く。この作業は、立板２の平面視をした場合におけるコの字の開放された部分から行えば良いので、容易であり、素早く行なうことができる。
データ化しようとするプリント写真がもうなければ、デジタルカメラを保持部材４０から外すとともに、保持部材４０を立板２から外し、次いで、立板２を台板１から外す。そして、立板２を図８（Ｃ）、（Ｂ）、（Ａ）の手順で折り畳むとともに、台板１を上述した台板１の展開の際とは逆の手順で折り畳む。折り畳まれた立板２と台板１は、台板１の台板中央部１１の大きさに略収まる。
【図面の簡単な説明】
【００４４】
【図１】本発明の一実施形態によるプリント写真撮像用器具の保持部材を除いた状態の斜視図。
【図２】図１に示したプリント写真撮像用器具の台板を作るためのパターンを示す図。
【図３】図１に示したプリント写真撮像用器具の立板を作るためのパターンを示す図。
【図４】図１に示したプリント写真撮像用器具の保持補助部を作るためのパターンを示す図。
【図５】本発明の一実施形態で用いられる保持部材の斜視図。
【図６】図５に示した保持部材のＡ−Ａ断面図。
【図７】図５に示した保持部材に含まれる導光筒の断面図。
【図８】立板の仕舞時から展開時までの状態を示す平面図。
【図９】図１に示したプリント写真撮像用器具の使用時における照明光の振舞いを概念的に示す図。
【符号の説明】
【００４５】
１  台板
２  立板
２Ａ  背面板
２Ｂ  側面板
１１  台板中央部
１２  台板折り畳み部
１４  第１固定孔
１５  第２固定孔
１６  第１固定孔
１７  第２固定孔
２１  背面部
２３  側面部
２６  背面脚部
２８  側面第１脚部
２９  側面第２脚部
３０  保持補助部
３１  水平保持部
４０  保持部材
４１  壁部材
４２  載置板
４３  底板
４５  挟持体
４６Ｂ  拡大レンズ
４７  支持筒
４８  導光筒
４８Ｂ  反射鏡
４９  挟持部
【図１】
2010139669.tif 000003
【図２】
2010139669.tif 000004
【図３】
2010139669.tif 000005
【図４】
2010139669.tif 000006
【図５】
2010139669.tif 000007
【図６】
2010139669.tif 000008
【図７】
2010139669.tif 000009
【図８】
2010139669.tif 000010
【図９】
2010139669.tif 000011